(57)【要約】
【課題】特に感度に優れたオーバーロードブレーカー機能を備えた電気スイッチを提供する。
【解決手段】本考案の電気スイッチは、スイッチ本体（１０）と、スイッチ本体（１０）の底部に挿設される第一ピン（２０）及び第二ピン（２１）と、第二ピン（２１）のスイッチ本体（１０）側の一端に結合され、可動コンタクト（２１２）を有する、熱により湾曲変形可能なバイメタルプレート（２１１）と、スイッチ本体（１０）の上部に枢設され、導通状態にバイメタルプレート（２１１）における可動コンタクト（２１２）と当接する突ブロック（３１）が設けられる切換ボタン（３０）と、スイッチ本体（１０）内において第一ピン（２０）と第二ピン（２１）との間に嵌設され、導通状態にバイメタルプレート（２１１）を押し付ける凸部（５１）が設けられるベース（５０）とを具備することを特徴とする。
【選択図】図２
0003100203.tif 000002
【実用新案登録請求の範囲】
【請求項１】
　スイッチ本体（１０）と、
　スイッチ本体（１０）の底部に挿設される第一ピン（２０）及び第二ピン（２１）と、
　第二ピン（２１）のスイッチ本体（１０）側の一端に結合され、可動コンタクト（２１２）を有する、熱により湾曲変形可能なバイメタルプレート（２１１）と、
　スイッチ本体（１０）の上部に枢設され、導通状態にバイメタルプレート（２１１）における可動コンタクト（２１２）と当接する突ブロック（３１）が設けられる切換ボタン（３０）と、
スイッチ本体（１０）内において第一ピン（２０）と第二ピン（２１）との間に嵌設され、導通状態にバイメタルプレート（２１１）を押し付ける凸部（５１）が設けられるベース（５０）と
　を有することを特徴とする電気スイッチ。
【考案の詳細な説明】
【技術分野】
【０００１】
　本考案は、特に感度に優れたオーバーロード防止機能を備えた電気スイッチに関するものである。
【背景技術】
【０００２】
　電気製品のスイッチには通常、オーバーロード防止機能が備えられており、その原理は、熱膨張係数の異なるバイメタルプレートが可動コンタクトの弾性プレートとして用いられ、スイッチにおけるボタンが押圧されて導通状態となった時、そのボタンの押圧によりバイメタルプレート上の可動コンタクトとスイッチにおけるピン上の固定コンタクトとが接触して導通状態となるものである。反対に、ボタンを押圧して非導通状態とした時は、直ちにバイメタルプレートが上方へ引き上げられて、可動コンタクトが固定コンタクトから離れ、電源が瞬断される。また、スイッチがＯＮ状態、即ち導通状態の時にオーバーロードが発生した場合は、バイメタルプレートが熱変形し可動コンタクトが固定コンタクトから即座に離れ、電源が瞬断される。故に、オーバーロードによる電気製品の破損を防止することができる。
【考案の開示】
【考案が解決しようとする課題】
【０００３】
　しかし、前記従来のスイッチのバイメタルプレートは、所定以上の過負荷を受けなければ変形しないので、感度に優れない。
【課題を解決するための手段】
【０００４】
　本考案は、スイッチ本体（１０）と、スイッチ本体（１０）の底部に挿設される第一ピン（２０）及び第二ピン（２１）と、第二ピン（２１）のスイッチ本体（１０）側の一端に結合され、可動コンタクト（２１２）を有する、熱により湾曲変形可能なバイメタルプレート（２１１）と、スイッチ本体（１０）の上部に枢設され、導通状態にバイメタルプレート（２１１）における可動コンタクト（２１２）と当接する突ブロック（３１）が設けられる切換ボタン（３０）と、スイッチ本体（１０）内において第一ピン（２０）と第二ピン（２１）との間に嵌設され、導通状態にバイメタルプレート（２１１）を押し付ける凸部（５１）が設けられるベース（５０）とを有することを特徴とする電気スイッチ、を提供する。
【考案の効果】
【０００５】
　本考案は、導通状態時には、凸部がバイメタルプレート上において支点となる。そして、過負荷を受けオーバーロード状態になり、バイメタルプレートの温度が上昇して跳ね上がろうとした時には、凸部に反作用力が発生してバイメタルプレートを快速的に跳ね上げるので、跳ね上げ力及び感度に優れたバイメタルプレートを具備する電気スイッチを提供することができる。故に、本考案の電気スイッチを採用すれば、電気製品の安全性及び安定性を向上させることができる。
【考案を実施するための最良の形態】
【０００６】
　本考案は上記の課題を解決するものであり、スイッチ本体と、スイッチ本体の底部に挿設される第一ピン及び第二ピンと、第二ピンのスイッチ本体側の一端に結合され、可動コンタクトを有する、熱により湾曲変形可能なバイメタルプレートと、スイッチ本体の上部に枢設され、導通状態にバイメタルプレートにおける可動コンタクトと当接する突ブロックが設けられる切換ボタンと、スイッチ本体内において第一ピンと第二ピンとの間に嵌設され、導通状態にバイメタルプレートを押し付ける凸部が設けられるベースと、を有するので、導通状態時には、凸部がバイメタルプレート上において支点となる。そして、過負荷を受けオーバーロード状態になると、バイメタルプレートの温度が上昇して跳ね上がろうとした時、凸部に反作用力が発生してバイメタルプレートを快速的に跳ね上げる。故に、この構成によれば、跳ね上げ力及び感度に優れたバイメタルプレートを具備する電気スイッチを提供することができる。
【０００７】
　以下、添付図面を参照して本考案の好適な実施の形態を詳細に説明する。
【０００８】
　図１は本考案に係る電気スイッチの斜視図であり、図２は本考案に係る電気スイッチの分解斜視図であり、図３は本考案に係る電気スイッチのＯＦＦ状態を示す側面断面図であり、図４は本考案に係る電気スイッチのＯＮ状態を示す側面断面図である。
【０００９】
　図１及び図２に示すように、本考案に係る、感度に優れたオーバーロードブレーカー機能を備えた電気スイッチは、スイッチ本体（１０）を有し、該スイッチ本体（１０）の内部に収容溝（１１）が形成され、その収容溝（１１）の一側に切換ボタン（３０）が枢設されると共に、他側に所定の間隔を置いて第一ピン（２０）及び第二ピン（２１）が嵌設され、その内、第一ピン（２０）上に固定コンタクト（２０１）が設けられ、一方、第二ピン（２１）上に熱変形可能であり、且つその自由端に固定コンタクト（２０１）と対応する可動コンタクト（２１２）を有するバイメタルプレート（２１１）が設けられる。更に、前記切換ボタン（３０）の一端に可動コンタクト（２１２）側へ突出する突ブロック（３１）が設けられ、該突ブロック（３１）の一側に掛止片（４０）が設けられ、その掛止片（４０）の自由端は図３に示すように、バイメタルプレート（２１１）における可動コンタクト（２１２）の自由端に掛止される。この構成により、切換ボタン（３０）がＯＦＦ状態、即ち非導通状態の時は、掛止片（４０）によってバイメタルプレート（２１１）の自由端と共に可動コンタクト（２１２）が上方へ引っ張られて、固定コンタクト（２０１）からバイメタルプレート（２１１）における可動コンタクト（２１２）が離れ、電源が瞬断される。
【００１０】
　反対に、図４に示すように、切換ボタン（３０）がＯＮ状態、即ち導通状態の時は、切換ボタン（３０）における突ブロック（３１）により可動コンタクト（２１２）の上縁が押圧されている。この状態で回路がオーバーロードとなると、バイメタルプレート（２１１）の温度が上昇して上方へ跳ね上がり、それにより突ブロック（３１）が切換ボタン（３０）を図３の位置まで押し上げて、電源を瞬断する。
【００１１】
　更に、前記バイメタルプレート（２１１）の跳ね上げ力及び感度をより高めるために、本考案では図２及び図４に示すように、第一ピン（２０）と第二ピン（２１）との間におけるスイッチ本体（１０）上に、収容溝（１１）と連通する設置溝（１１０）を形成し、該収容溝（１１）内に、上面に凸部（５１）が設けられるベース（５０）を嵌設する。
【００１２】
　上記の構成であるから、電気スイッチが図４に示すような導通状態にあり、切換ボタン（３０）の突ブロック（３１）が可動コンタクト（２１２）を押圧している時は、バイメタルプレート（２１１）の中段に支点となるようにベース（５０）の凸部（５１）が当接される。そして、過電流によりバイメタルプレート（２１１）の温度が上昇して上方へ跳ね上がろうとした時、凸部（５１）に反作用力が発生し、変形しきい温度に達する前にバイメタルプレート（２１１）を快速的に跳ね上げる。故に、この構成によればバイメタルプレート（２１１）の感度を高めることができるので、電気製品の安全性及び安定性を向上させることができる。
【図面の簡単な説明】
【００１３】
【図１】本考案に係る電気スイッチの斜視図である。
【図２】本考案に係る電気スイッチの分解斜視図である。
【図３】本考案に係る電気スイッチのＯＦＦ状態を示す側面断面図である。
【図４】本考案に係る電気スイッチのＯＮ状態を示す側面断面図である。
【符号の説明】
【００１４】
　１０　　スイッチ本体
　１１　　収容溝
　１１０　　設置溝
　２０　　第一ピン
　２０１　　固定コンタクト
　２１　　第二ピン
　２１１　　バイメタルプレート
　２１２　　可動コンタクト
　３０　　切換ボタン
　３１　　突ブロック
　４０　　掛止片
　５０　　ベース
　５１　　凸部
【図１】
0003100203.tif 000003
【図２】
0003100203.tif 000004
【図３】
0003100203.tif 000005
【図４】
0003100203.tif 000006